【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
ワイヤレスに通信するように構成される装置であって、
プロセッサと、前記プロセッサに動作可能に結合されたメモリ構成要素とを備える処理システムを備え、前記処理システムは、
別個のワイヤレス通信デバイスから制御フレームを受信することと、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記共有ワイヤレスアクセス媒体上での同時通信を可能にすることを示し、
前記少なくとも１つの延期関連パラメータに少なくとも部分的に基づいて前記共有ワイヤレスアクセス媒体上で前記ＴＸＯＰ中にデータを送信することと、ここにおいて、前記データおよび前記後続のデータ送信は、同時に送信される、
を行うように構成された、装置。
【請求項２】
前記処理システムが、前記送信を延期する際に前記少なくとも１つの延期関連パラメータに関連する１つまたは複数のしきい値を使用するようにさらに構成された、請求項１に記載の装置。
【請求項３】
前記処理システムは、重複基本サービスセット（ＯＢＳＳ）のリストにさらに基づいて前記送信を延期するように構成された、請求項１に記載の装置。
【請求項４】
前記制御フレームは、送信準備完了（ＲＴＳ）フレームを備え、前記少なくとも１つの延期関連パラメータが、前記ＲＴＳフレーム中で受信される、請求項１に記載の装置。
【請求項５】
前記少なくとも１つの延期関連パラメータが、前記ＴＸＯＰ中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、請求項４に記載の装置。
【請求項６】
前記処理システムが、前記ＲＴＳフレームが受信され、送信可（ＣＴＳ）フレームが受信されていない前記ＴＸＯＰ中の送信を延期しないように構成された、請求項５に記載の装置。
【請求項７】
前記制御フレームは、送信可（ＣＴＳ）フレームを備え、前記少なくとも１つの延期関連パラメータが、前記ＣＴＳフレーム中で受信される、請求項１に記載の装置。
【請求項８】
前記少なくとも１つの延期関連パラメータが、許容ＣＣＡオフセットと前記ＴＸＯＰ中に適用可能なデフォルトＣＣＡしきい値との指示のうちの少なくとも１つを備える、請求項７に記載の装置。
【請求項９】
前記処理システムは、
前記ＣＴＳが、前記デフォルトＣＣＡしきい値に前記オフセットを加えたものを下回る電力レベルを有するかどうかを決定することと、
前記ＴＸＯＰ中の送信を延期しないことと、
を行うように構成された、請求項８に記載の装置。
【請求項１０】
前記処理システムは、複数のＴＸＯＰを定義するように構成され、前記後続のデータ送信は、第１のＴＸＯＰ中に送信され、前記処理システムは、同時通信を可能にしないことを示す少なくとも１つの延期関連パラメータを取得することと、第２のＴＸＯＰまで前記共有ワイヤレスアクセス媒体上での前記データ送信を延期することとを行うようにさらに構成された、請求項１に記載の装置。
【請求項１１】
前記処理システムは、複数のＴＸＯＰを定義するように構成され、前記後続のデータ送信およびデータは、第１のＴＸＯＰ中に送信され、前記処理システムは、前記データ送信の終了および前記後続のデータ送信の前記終了を前記第１のＴＸＯＰの終了と整合させるように構成された、請求項１に記載の装置。
【請求項１２】
前記処理システムは、前記データ送信の継続時間が、前記後続のデータ送信の継続時間を過ぎて延長しないように、前記データの前記送信を前記後続のデータ送信の前記送信と整合させるように構成された、請求項１に記載の装置。
【請求項１３】
ワイヤレスに通信するように構成される装置であって、
第１のワイヤレス通信デバイス中の、プロセッサと、前記プロセッサに動作可能に結合されたメモリ構成要素とを備える処理システムを備え、前記処理システムは、
第２のワイヤレス通信デバイスとのワイヤレス通信のためのパケットを生成することと、
共有ワイヤレスアクセス媒体上での前記第２のワイヤレス通信デバイスへの送信機会（ＴＸＯＰ）中の前記パケットの送信に関連するクリアチャネルアセスメント（ＣＣＡ）を実行することと、前記ＣＣＡは、前記ＴＸＯＰ中の前記共有ワイヤレスアクセス媒体上での同時通信を可能にすることを示す少なくとも１つの延期関連パラメータを備える制御フレームを含み、前記第３のワイヤレス通信デバイスは、前記制御フレームを受信することと、前記共有ワイヤレスアクセス媒体上で前記パケットと同時にデータを送信するために前記第３のワイヤレス通信デバイスによって使用されるべき前記延期関連パラメータを取得することとを行うように構成された、
前記ＴＸＯＰ中の前記共有ワイヤレスアクセス媒体上で前記第２のワイヤレス通信デバイスに前記パケットを送信することと、ここにおいて、前記第３のワイヤレス通信デバイスは、前記延期関連パラメータに基づいて前記パケットの前記送信と同時に前記データを送信するように構成された、
を行うように構成された、装置。
【請求項１４】
前記制御フレームが、送信準備完了（ＲＴＳ）フレーム、および前記ＲＴＳ中の前記少なくとも１つの延期関連パラメータを備える、請求項１３に記載の装置。
【請求項１５】
前記少なくとも１つの延期関連パラメータが、前記ＴＸＯＰ中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、請求項１４に記載の装置。
【請求項１６】
前記制御フレームが、送信可（ＣＴＳ）フレーム、および前記ＣＴＳ中の前記少なくとも１つの延期関連パラメータを備える、請求項１３に記載の装置。
【請求項１７】
前記少なくとも１つの延期関連パラメータが、許容ＣＣＡオフセットと前記ＴＸＯＰ中に適用可能なデフォルトＣＣＡしきい値との指示のうちの少なくとも１つを備える、請求項１６に記載の装置。
【請求項１８】
別個のワイヤレス通信デバイスから制御フレームを受信することと、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記共有ワイヤレスアクセス媒体上での同時通信を可能にすることを示し、
前記少なくとも１つの延期関連パラメータに少なくとも部分的に基づいて前記共有ワイヤレスアクセス媒体上で前記ＴＸＯＰ中にデータを送信することと、ここにおいて、前記データおよび前記後続のデータ送信は、同時に送信される、
を備える、ワイヤレス通信の方法。
【請求項１９】
前記送信を延期する際に前記少なくとも１つの延期関連パラメータに関連する１つまたは複数のしきい値を使用することをさらに備える、請求項１８に記載の方法。
【請求項２０】
前記共有ワイヤレスアクセス媒体上での前記送信を延期することは、重複基本サービスセット（ＯＢＳＳ）のリストにさらに基づく、請求項１８に記載の方法。
【請求項２１】
前記制御フレームは、送信準備完了（ＲＴＳ）フレームを備え、前記少なくとも１つの延期関連パラメータが、前記ＲＴＳフレーム中で受信される、請求項１８に記載の方法。
【請求項２２】
前記少なくとも１つの延期関連パラメータが、前記ＴＸＯＰ中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、請求項２１に記載の方法。
【請求項２３】
前記ＲＴＳフレームが受信され、送信可（ＣＴＳ）フレームが受信されていない前記ＴＸＯＰ中の送信に従うのを控えることをさらに備える、請求項２２に記載の方法。
【請求項２４】
前記制御フレームは、送信可（ＣＴＳ）フレームを備え、前記少なくとも１つの延期関連パラメータが、前記ＣＴＳフレーム中で受信される、請求項１８に記載の方法。
【請求項２５】
前記少なくとも１つの延期関連パラメータが、許容ＣＣＡオフセットと前記ＴＸＯＰ中に適用可能なデフォルトＣＣＡしきい値との指示のうちの少なくとも１つを備える、請求項２４に記載の方法。
【請求項２６】
前記ＣＴＳが、前記デフォルトＣＣＡしきい値に前記オフセットを加えたものを下回る電力レベルを有するかどうかを決定することと、
前記ＴＸＯＰ中の送信に従うのを控えることと、
をさらに備える、請求項２５に記載の方法。
【請求項２７】
ワイヤレス通信のための装置であって、
別個のワイヤレス通信デバイスから制御フレームを受信するための手段と、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得するための手段と、前記延期関連パラメータは、前記ＴＸＯＰ中の前記共有ワイヤレスアクセス媒体上での同時通信を可能にすることを示し、
前記少なくとも１つの延期関連パラメータに少なくとも部分的に基づいて前記共有ワイヤレスアクセス媒体上で前記ＴＸＯＰ中にデータを送信するための手段と、ここにおいて、前記データおよび前記後続のデータ送信は、同時に送信される、
を備える、装置。
【請求項２８】
前記制御フレームは、送信準備完了（ＲＴＳ）フレームを備え、前記少なくとも１つの延期関連パラメータが、前記ＲＴＳフレーム中で受信される、請求項２７に記載の装置。
【請求項２９】
前記制御フレームは、送信可（ＣＴＳ）フレームを備え、前記少なくとも１つの延期関連パラメータが、ＣＴＳフレーム中で受信される、請求項２７に記載の装置。
【請求項３０】
実行されたとき、装置に、
別個のワイヤレス通信デバイスから制御フレームを受信することと、前記制御フレームは、共有ワイヤレスアクセス媒体上での送信機会（ＴＸＯＰ）中の前記別個のワイヤレス通信デバイスによる後続のデータ送信のためのクリアチャネルアセスメント（ＣＣＡ）に関連する、
前記制御フレームから少なくとも１つの延期関連パラメータを取得することと、前記延期関連パラメータは、前記ＴＸＯＰ中の前記共有ワイヤレスアクセス媒体上での同時通信を可能にすることを示す、
前記少なくとも１つの延期関連パラメータに少なくとも部分的に基づいて前記共有ワイヤレスアクセス媒体上で前記ＴＸＯＰ中にデータを送信することと、ここにおいて、前記データおよび前記後続のデータ送信は、同時に送信される、
を行わせるコードを備える、非一時的コンピュータ可読媒体。
【請求項３１】
前記少なくとも１つの延期関連パラメータが、前記制御フレームの送信準備完了（ＲＴＳ）フレームまたは送信可（ＣＴＳ）フレーム中で受信される、請求項３０に記載の装置。
【手続補正２】
【補正対象書類名】明細書
【補正対象項目名】０１２５
【補正方法】変更
【補正の内容】
【０１２５】
[00137]上記は本開示の態様を対象とするが、本開示の他の態様およびさらなる態様は、その基本的範囲から逸脱することなく考案され得、その範囲は以下の特許請求の範囲によって決定される。
以下に本願の出願当初の特許請求の範囲に記載された発明を付記する。
［Ｃ１］
ワイヤレスに通信するように構成される装置であって、
共有ワイヤレスアクセス媒体上で送信されるパケットから延期関連パラメータを取得することと、前記少なくとも１つの延期関連パラメータに少なくとも部分的に基づいて前記共有ワイヤレスアクセス媒体上での送信を延期すべきかどうかを決定することとを行うように構成された処理システム
を備える、装置。
［Ｃ２］
前記処理システムが、前記決定を行う際に前記少なくとも１つの延期関連パラメータに関連する１つまたは複数のしきい値を使用するようにさらに構成された、Ｃ１に記載の装置。
［Ｃ３］
前記処理システムは、重複基本サービスセット（ＯＢＳＳ）のリストにさらに基づいて前記共有ワイヤレスアクセス媒体上での送信を延期すべきかどうかを決定するように構成された、Ｃ１に記載の装置。
［Ｃ４］
前記少なくとも１つの延期関連パラメータが、送信準備完了（ＲＴＳ）フレーム中で受信される、Ｃ１に記載の装置。
［Ｃ５］
前記少なくとも１つの延期関連パラメータが、送信機会（ＴＸＯＰ）中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、Ｃ４に記載の装置。
［Ｃ６］
前記処理システムが、前記ＲＴＳフレームが受信され、送信可（ＣＴＳ）フレームが受信されていない前記ＴＸＯＰ中の送信を延期しないように構成された、Ｃ５に記載の装置。
［Ｃ７］
前記少なくとも１つの延期関連パラメータが、送信可（ＣＴＳ）フレーム中で受信される、Ｃ１に記載の装置。
［Ｃ８］
前記少なくとも１つの延期関連パラメータが、許容クリアチャネルアセスメント（ＣＣＡ）オフセットと送信機会（ＴＸＯＰ）中に適用可能なデフォルトＣＣＡしきい値との指示のうちの少なくとも１つを備える、Ｃ７に記載の装置。
［Ｃ９］
前記処理システムは、
前記ＣＴＳが、前記デフォルトＣＣＡしきい値に前記オフセットを加えたものを下回る電力レベルを有するかどうかを決定することと、
前記ＴＸＯＰ中の送信を延期しないことと、
を行うように構成された、Ｃ８に記載の装置。
［Ｃ１０］
前記処理システムが、データ送信の終了を送信機会（ＴＸＯＰ）の終了と少なくとも部分的に整合させるように構成された、Ｃ１に記載の装置。
［Ｃ１１］
ワイヤレスに通信するように構成される装置であって、
ワイヤレス通信デバイス中の処理システムであって、別のワイヤレス通信デバイスが共有ワイヤレスアクセス媒体上での送信を延期すべきであるか否かを決定するために前記他のワイヤレス通信デバイスによって使用されるべき少なくとも１つの延期関連パラメータを備えるパケットを生成し、前記パケットを前記他のワイヤレス通信デバイスに与えることを行うように構成された処理システム
を備える、装置。
［Ｃ１２］
前記処理システムが、送信準備完了（ＲＴＳ）フレーム中に前記少なくとも１つの延期関連パラメータを含めるようにさらに構成された、Ｃ１１に記載の装置。
［Ｃ１３］
前記少なくとも１つの延期関連パラメータが、送信機会（ＴＸＯＰ）中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、Ｃ１２に記載の装置。
［Ｃ１４］
前記処理システムが、送信可（ＣＴＳ）フレーム中に前記少なくとも１つの延期関連パラメータを含めるようにさらに構成された、Ｃ１１に記載の装置。
［Ｃ１５］
前記少なくとも１つの延期関連パラメータが、許容クリアチャネルアセスメント（ＣＣＡ）オフセットと送信機会（ＴＸＯＰ）中に適用可能なデフォルトＣＣＡしきい値との指示のうちの少なくとも１つを備える、Ｃ１４に記載の装置。
［Ｃ１６］
共有ワイヤレスアクセス媒体上で送信されるパケットから延期関連パラメータを取得することと、
前記少なくとも１つの延期関連パラメータに少なくとも部分的に基づいて前記共有ワイヤレスアクセス媒体上での送信を延期すべきかどうかを決定することと、
を備える、ワイヤレス通信の方法。
［Ｃ１７］
前記決定を行う際に前記少なくとも１つの延期関連パラメータに関連する１つまたは複数のしきい値を使用することをさらに備える、Ｃ１６に記載の方法。
［Ｃ１８］
重複基本サービスセット（ＯＢＳＳ）のリストにさらに基づいて前記共有ワイヤレスアクセス媒体上での送信を延期すべきかどうかを決定することをさらに備える、Ｃ１６に記載の方法。
［Ｃ１９］
前記少なくとも１つの延期関連パラメータが、送信準備完了（ＲＴＳ）フレーム中で受信される、Ｃ１６に記載の方法。
［Ｃ２０］
前記少なくとも１つの延期関連パラメータが、送信機会（ＴＸＯＰ）中の後続のデータ送信のための計画変調およびコーディング方式（ＭＣＳ）と、前記ＴＸＯＰ中の前記後続のデータ送信のための推定ＭＣＳと、前記ＴＸＯＰ中の前記後続のデータ送信に非延期を可能にするかまたは可能にしない指示とのうちの少なくとも１つを備える、Ｃ１９に記載の方法。
［Ｃ２１］
前記ＲＴＳフレームが受信され、送信可（ＣＴＳ）フレームが受信されていない前記ＴＸＯＰ中の送信を延期するのを控えることをさらに備える、Ｃ２０に記載の方法。
［Ｃ２２］
前記少なくとも１つの延期関連パラメータが、送信可（ＣＴＳ）フレーム中で受信される、Ｃ１６に記載の方法。
［Ｃ２３］
前記少なくとも１つの延期関連パラメータが、許容クリアチャネルアセスメント（ＣＣＡ）オフセットと送信機会（ＴＸＯＰ）中に適用可能なデフォルトＣＣＡしきい値との指示のうちの少なくとも１つを備える、Ｃ２２に記載の方法。
［Ｃ２４］
前記ＣＴＳが、前記デフォルトＣＣＡしきい値に前記オフセットを加えたものを下回る電力レベルを有するかどうかを決定することと、
前記ＴＸＯＰ中の送信を延期するのを控えることと、
をさらに備える、Ｃ２３に記載の方法。
［Ｃ２５］
データ送信の終了を送信機会（ＴＸＯＰ）の終了と少なくとも部分的に整合させることをさらに備える、Ｃ１６に記載の方法。
［Ｃ２６］
ワイヤレス通信のための装置であって、
共有ワイヤレスアクセス媒体上で送信されるパケットから延期関連パラメータを取得するための手段と、
前記少なくとも１つの延期関連パラメータに少なくとも部分的に基づいて前記共有ワイヤレスアクセス媒体上での送信を延期すべきかどうかを決定するための手段と、
を備える、装置。
［Ｃ２７］
前記少なくとも１つの延期関連パラメータが、送信準備完了（ＲＴＳ）フレーム中で受信される、Ｃ２６に記載の装置。
［Ｃ２８］
前記少なくとも１つの延期関連パラメータが、送信可（ＣＴＳ）フレーム中で受信される、Ｃ２６に記載の装置。
［Ｃ２９］
実行されたとき、装置に、
共有ワイヤレスアクセス媒体上で送信されるパケットから延期関連パラメータを取得することと、
前記少なくとも１つの延期関連パラメータに少なくとも部分的に基づいて前記共有ワイヤレスアクセス媒体上での送信を延期すべきかどうかを決定することと、
を行わせるコードを備える、非一時的コンピュータ可読媒体。
［Ｃ３０］
前記少なくとも１つの延期関連パラメータが、送信準備完了（ＲＴＳ）フレームまたは送信可（ＣＴＳ）フレーム中で受信される、Ｃ２９に記載の装置。